(57)【要約】【課題】  座板とシリンダー受具の溶接固定を安全確実なものにした椅子のシリンダー取付具を提案する。【解決手段】  椅子の座部の下面に固着する座板には、シリンダーが係入する丸穴の周辺の長手方向に所定の間隔をあけて平行に係止スリットを複数設け、この座板に係着するシリンダー受具の脚部の端縁には、上記係止スリットと対応してこの係止スリットに係入可能な係合片を突出して設けて椅子のシリンダー取付具を構成するという手段を採用した。そして、上記シリンダー受具の係合片が、後ろ向きに突出する鍵状突出部を有するものであるという手段，または、上記シリンダー受具の係合片が、方形凸状であるという手段を採用した。【選択図】  図４
2005278818.tif 000002
【特許請求の範囲】
【請求項１】
椅子の座部の下面に固着する座板には、シリンダーが係入する丸穴の周辺の長手方向に所定の間隔をあけて平行に係止スリットを複数設け、この座板に係着するシリンダー受具の脚部の端縁には、上記係止スリットと対応してこの係止スリットに係入可能な係合片を突出して設けたことを特徴とする椅子のシリンダー取付具。
【請求項２】
上記シリンダー受具の係合片が、後ろ向きに突出する鍵状突出部を有する請求項１記載の椅子のシリンダー取付具。
【請求項３】
上記シリンダー受具の係合片が、方形凸状である請求項１記載の椅子のシリンダー取付具。
【請求項４】
座板は、シリンダー受具に対し、僅かに後方に傾けて係着溶接したものである請求項１から請求項３のいずれか１項に記載の椅子のシリンダー取付具。
【発明の詳細な説明】
【技術分野】
【０００１】
この発明は、事務用などの椅子において、座部の下面に固着するシリンダー取付具の改良に関するものである。
【背景技術】
【０００２】
一般に、例えば事務用に用いられる椅子は、図５に示すように、座部３１の後部に背凭れ部３２を取り付けると共に、上記座部３１は昇降装置を内装するシリンダー（支柱）３３の上端に取り付けられ、このシリンダー３３下端にはキャスター３４有する複数の脚３５を取り付けたものである。そして、上記シリンダー３３上端に座部３１を取り付けるには、座部３１の下面にシリンダー取付具３６を固着し、このシリンダー取付具３６にシリンダー３３の先端を挿入して取り付けている。
【０００３】
このシリンダー取付具として、例えば簡単な構成としては、特許文献１に示すように、取付具中央に回転昇降筒の上端縮径部が固定可能な円筒部を形成したものや、特許文献２に示すように、フレームに支柱が嵌入する筒状体を固着したものがある。
【０００４】
また、例えば図６に示すように、平行に設けた長穴スリット４２を有する座板４１と、中央にシリンダー（図示せず）が挿入可能な挿入筒部４４を有する側面視凹状のシリンダー受具４３からなり、上記シリンダー受具４３の脚部４３ａを上記長穴スリット４２に挿入し、両者の接合部を溶接４５することによって、シリンダー取付具３６を構成したものがある。
【０００５】
【特許文献１】実開平１−７１５２７号公報（第２図）
【特許文献２】特開平５−２９３０２２号公報（図１）
【発明の開示】
【発明が解決しようとする課題】
【０００６】
しかしながら、上記図６のような構成の従来のシリンダー取付具の場合、全く同一の形状の椅子が大量に生産される場合は、溶接ロボットが生産ラインに導入されており、溶接条件が一定に保たれるので問題はないが、最近は椅子のデザインが多様化しており、椅子の座面や座板のデザインも何通りものパターンがある。そのため、生産工場によっては溶接ロボットを導入せず、手作業で溶接を行うこともある。この場合、溶接は一定の技能・経験を要する作業であり、上記座板とシリンダー受具の接合部の溶接部分に溶接不良を発生する可能性がある。
【０００７】
このように、椅子において、溶接不良等が原因で使用中に座板とシリンダー受具の溶接が外れると、座部全体が傾き、使用者が転落、転倒して怪我をする可能性があり、非常に危険である。そこで、本願は、上記構成のシリンダー取付具において、座板とシリンダー受具の溶接固定を安全確実なものにした椅子のシリンダー取付具を提案するものである。
【課題を解決するための手段】
【０００８】
上記課題を解決するため、本発明では、椅子の座部の下面に固着する座板には、シリンダーが係入する丸穴の周辺の長手方向に所定の間隔をあけて平行に係止スリットを複数設け、この座板に係着するシリンダー受具の脚部の端縁には、上記係止スリットと対応してこの係止スリットに係入可能な係合片を突出して設けて椅子のシリンダー取付具を構成するという手段を採用した。
【０００９】
そして、上記シリンダー受具の係合片が、後ろ向きに突出する鍵状突出部を有するものであるという手段，または、上記シリンダー受具の係合片が、方形凸状であるという手段を採用した。
【００１０】
また、座板は、シリンダー受具に対し、僅かに後方に傾けて係着溶接したものであるという手段を採用した。
【発明の効果】
【００１１】
かかる構成を採用した本発明の椅子のシリンダー取付具は、係合片が係止スリットに係入して座板とシリンダー受具が確実に係合するので、接合部において、溶接の程度に多少のばらつきがあっても、シリンダー受具が座板から脱落することがない。従って、安全なシリンダー取付具を提供できるものである。
【００１２】
また、座板を僅かに後方に傾けて係着溶接するので、座部が僅かに後方に傾き、座り心地の良い椅子を提供できる。
【発明を実施するための最良の形態】
【００１３】
以下、本発明に係る椅子のシリンダー取付具の好ましい実施の形態を図面について説明する。図１は事務用椅子の座部の下面に固着する座板の例を示すものであって、（Ａ）は座板の底面図、（Ｂ）は正面図、（Ｃ）は右側面図である。実際には、正面図の左側方向が椅子の前部となる。図において、１は座板であって、側面視が概ね逆台形状であり、長手方向の両側部には座部に対する取付片２を所定幅で延設したものである。この取付片２の端部にはねじ等を利用して座部下面に取り付けるための取付穴３、３・・を穿設している。また、座板１の中央には昇降装置を内装するシリンダー（図示せず）の端部が挿入可能な丸穴４を設けると共に、その周辺長手方向に、下述するシリンダー受具が係着可能な係止スリット５、５・・を所定の間隔をあけて平行に設けている。尚、６は背凭れの支柱（図示せず）を固定調節する調整ノブ用の挿入穴であり、また７はシリンダーの頭頂部に設けられる高さ調節用ノブを操作するための操作杆（図示せず）の挿入穴である。
【００１４】
次に、図２は上記座板に取り付けるシリンダー受具の例を示すものであって、（Ａ）は平面図、（Ｂ）は図（Ａ）のＡ−Ａ線断面図、（Ｃ）は右側面図である。図において、８はシリンダー受具であって、側面視が凹状であり、平面部分の中央にシリンダー（図示せず）の端部が挿入可能なように所定高さの立ち上がり部からなる挿入筒部９を形成している。また、両側の立ち上がりで脚部１０、１０を形成し、この脚部１０の各上端縁には上述した座板１に設けた係止スリット５、５・・に係入可能な係合片１１、１１を形成している。この係合片１１は、図２（Ｂ）に示したように、後ろ向きに突出する鍵状突出部１１ａを形成することが好ましいが、図２（Ｄ）に示すように、単に方形凸状の係合片１２であっても良い。
【００１５】
続いて、図３は上記座板１とシリンダー受具８を係合させてシリンダー取付具とした状態を示すものである。シリンダー受具８の各係合片１１を対応する係止スリット５に挿入し、右方向（後側）に摺動させることで、鍵状の係合片１１と係止スリット５を確実に係合させる。このとき、上記座板１の丸穴４と上記シリンダー受具８の挿入筒部９が一致連通し、シリンダー（図示せず）を挿入すると座板１とシリンダー受具８の位置がずれることが無く、シリンダー受具８が抜け落ちることが無く安全である。
【００１６】
なお、図に示すように、シリンダー受具８の前端は少し持ち上げてシリンダー受具８が鉛直方向に対して約２度傾斜するようにすることが好ましい。これは、座部をシリンダーに固定したときに、座部全体が若干後下がりに傾斜するようにして、座り心地を良くするためである。この状態で、図４に示すように、座板１とシリンダー受具８の接合線を溶接１３して両者を確実に固定する。このとき、溶け込みをした溶接材料が、係止スリット５の余白部分５ａを埋めていることが好ましい。溶接を確実にして、溶接のはずれがないようにするためである
【００１７】
上述の構成によって、座板１とシリンダー受具８は確実に係着するので、手作業等で溶接の程度に多少のばらつきがあっても、両者の係合部分が外れることはなく、安全なシリンダー取付具を提供できる。
【図面の簡単な説明】
【００１８】
【図１】本発明に係る椅子のシリンダー取付具の実施形態における座板の、（Ａ）は底面図、（Ｂ）は正面図、（Ｃ）は右側面図である。
【図２】本発明に係る椅子のシリンダー取付具の実施形態におけるシリンダー受具の、（Ａ）は平面図、（Ｂ）はＡ−Ａ線断面図、（Ｃ）は右側面図、（Ｄ）は他の実施形態を示す断面図である。
【図３】座板とシリンダー受具の係合状態を示す、（Ａ）は底面図、（Ｂ）は正面図である。
【図４】座板とシリンダー受具の接合部の溶接状態を示す、（Ａ）は底面図、（Ｂ）は正面図である。
【図５】一般的な事務用椅子の右側面図である。
【図６】従来の椅子の座板とシリンダー受具の接合部の溶接状態を示す正面図である。
【符号の説明】
【００１９】
１    座板
４    丸穴
５    係止スリット
８    シリンダー受具
９    挿入筒部
１０    脚部
１１    係合片
１１ａ  鍵状突出部
１２    係合片
１３    溶接
【図１】
2005278818.tif 000003
【図２】
2005278818.tif 000004
【図３】
2005278818.tif 000005
【図４】
2005278818.tif 000006
【図５】
2005278818.tif 000007
【図６】
2005278818.tif 000008